(57)【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、ズーミングに際して各レンズ群が移動するズームレンズであって、前記第１レンズ群は、物体側より像側へ順に、１枚の負レンズと２枚の正レンズを有し、前記第２レンズ群は、物体側から像側へ順に、物体側の面が凸でメニスカス形状の負レンズ、物体側の面が凸でメニスカス形状の負レンズ、物体側が凹面の負レンズ、正レンズより成り、前記第１レンズ群の焦点距離をｆ１、前記第１レンズ群の広角端の位置と望遠端の位置との距離をｓｔ１、広角端及び望遠端における全系の焦点距離を各々ｆｗ、ｆｔ、前記第３レンズ群の広角端及び望遠端における結像倍率を各々β３Ｗ、β３Ｔとするとき、
０．０５＜ｆ１／（ｓｔ１×ｆｔ／ｆｗ）＜０．２
１．５＜β３Ｔ／β３Ｗ＜３．６
なる条件を満足することを特徴とするズームレンズ。
【請求項２】
前記第３レンズ群は、物体側から像側へ順に、物体側が凸面の正レンズ、物体側の面が凸でメニスカス形状の２つの負レンズ、両レンズ面が凸面の正レンズより成ることを特徴とする請求項１に記載のズームレンズ。
【請求項３】
物体側より像側へ順に、正の屈折力の第１レンズ群、負の屈折力の第２レンズ群、正の屈折力の第３レンズ群、正の屈折力の第４レンズ群より構成され、ズーミングに際して各レンズ群が移動するズームレンズであって、前記第１レンズ群は、物体側より像側へ順に、１枚の負レンズと２枚の正レンズを有し、前記第３レンズ群は、物体側から像側へ順に、物体側が凸面の正レンズ、物体側の面が凸でメニスカス形状の２つの負レンズ、両レンズ面が凸面の正レンズより成り、前記第１レンズ群の焦点距離をｆ１、前記第１レンズ群の広角端の位置と望遠端の位置との距離をｓｔ１、広角端及び望遠端における全系の焦点距離を各々ｆｗ、ｆｔ、前記第３レンズ群の広角端及び望遠端における結像倍率を各々β３Ｗ、β３Ｔとするとき、
０．０５＜ｆ１／（ｓｔ１×ｆｔ／ｆｗ）＜０．２
１．５＜β３Ｔ／β３Ｗ＜３．６
なる条件を満足することを特徴とするズームレンズ。
【請求項４】
前記第２レンズ群は、物体側から像側へ順に、３枚の負レンズと１枚の正レンズからなり、前記第２レンズ群の広角端及び望遠端における結像倍率を各々β２Ｗ、β２Ｔとするとき、
４．０＜β２Ｔ／β２Ｗ＜１２．０
なる条件を満足することを特徴とする請求項１乃至３のいずれか１項に記載のズームレンズ。
【請求項５】
前記第２レンズ群は、物体側から像側へ順に、３枚の負レンズと１枚の正レンズからなり、前記第２レンズ群の物体側から数えて第２番目の負レンズの焦点距離をｆ２２、前記第２レンズ群の焦点距離をｆ２とするとき、
１．０＜ｆ２２／ｆ２＜２．５
なる条件を満足することを特徴とする請求項１乃至４のいずれか１項に記載のズームレンズ。
【請求項６】
前記第３レンズ群の全部又は一部を、光軸と垂直方向の成分を持つように移動させて、前記ズームレンズが振動したときの撮影画像の位置を補正することを特徴とする請求項１乃至５のいずれか１項に記載のズームレンズ。
【請求項７】
固体撮像素子に像を形成することを特徴とする請求項１乃至６のいずれか１項に記載のズームレンズ。
【請求項８】
請求項１から７のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、銀塩写真用のカメラ等に好適なものである。
【背景技術】
【０００２】
近年、固体撮像素子を用いたビデオカメラ、デジタルスチルカメラ、放送用カメラ、そして銀塩フィルムを用いたカメラ等の撮像装置は高機能化され、又装置全体が小型化されている。そしてそれに用いる撮影光学系としてレンズ全長が短く、コンパクトでしかも高解像力のズームレンズであることが要求されている。
【０００３】
更に広画角で高ズーム比のズームレンズであることが要求されている。
【０００４】
これらの要求に応えるズームレンズとして、物体側より像側へ順に、正の屈折力の第１レンズ群、負の屈折力の第２レンズ群、正の屈折力の第３レンズ群、正の屈折力の第４レンズ群の４つのレンズ群を有する４群ズームレンズが知られている。
【０００５】
この４群ズームレンズにおいて、第１レンズ群、第２レンズ群、第３レンズ群を移動させて変倍を行い、第４レンズ群にて変倍に伴う像面変動を補正すると共に、フォーカシングを行うリアフォーカス式の４群ズームレンズが知られている（特許文献１、２）。
【０００６】
又、このようなリアフォーカス式の４群ズームレンズにおいて、第３レンズ群全体を光軸と垂直方向に振動させて静止画像を得るズームレンズが知られている（特許文献３）。
【特許文献１】特開２００６−３０８６４９号公報
【特許文献２】特開平８−５０２４４号公報
【特許文献３】特開２００７−１０８５４４号公報
【発明の開示】
【発明が解決しようとする課題】
【０００７】
一般にズームレンズ全体を小型にするためには、ズームレンズを構成する各レンズ群の屈折力を強めつつ、レンズ枚数を削減すれば良い。
【０００８】
しかしながら、このようにしたズームレンズは、各面の屈折力の増加に伴いレンズ肉厚が増してしまい、レンズ系の短縮効果が不十分になると同時に諸収差の補正が困難になってくる。
【０００９】
前述のリアフォーカス式の４群ズームレンズにおいて、高ズーム比とレンズ系全体の小型化を図りつつ、良好な光学性能を得るには、各レンズ群の屈折力そして各レンズ群のレンズ構成等を適切に設定することが重要となる。
【００１０】
特に前述したリアフォーカス式の４群ズームレンズにおいては、ズーミングの際に移動する第１レンズ群の屈折力やレンズ構成、そして移動量、第３レンズ群の結像倍率等を適切に設定するのが重要となってくる。これらが適切でないと高ズーム比を確保しつつ、全ズーム範囲で高い光学性能を得るのが大変難しくなってくる。
【００１１】
本発明は全ズーム範囲にわたり高い光学性能が得られる小型のズームレンズ及びそれを有する撮像装置の提供を目的とする。
【課題を解決するための手段】
【００１２】
本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際して各レンズ群が移動するズームレンズであって、前記第１レンズ群は、物体側より像側へ順に、１枚の負レンズと２枚の正レンズを有し、前記第２レンズ群は、物体側から像側へ順に、物体側の面が凸でメニスカス形状の負レンズ、物体側の面が凸でメニスカス形状の負レンズ、物体側が凹面の負レンズ、正レンズより成り、前記第１レンズ群の焦点距離をｆ１、前記第１レンズ群の広角端の位置と望遠端の位置との距離をｓｔ１、広角端及び望遠端における全系の焦点距離を各々ｆｗ、ｆｔ、前記第３レンズ群の広角端及び望遠端における結像倍率を各々β３Ｗ、β３Ｔとするとき、
０．０５＜ｆ１／（ｓｔ１×ｆｔ／ｆｗ）＜０．２
１．５＜β３Ｔ／β３Ｗ＜３．６
なる条件を満足することを特徴としている。
【００１３】
この他本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際して各レンズ群が移動するズームレンズであって、前記第１レンズ群は、物体側より像側へ順に、１枚の負レンズと２枚の正レンズを有し、前記第３レンズ群は、物体側から像側へ順に、物体側が凸面の正レンズ、物体側の面が凸でメニスカス形状の２つの負レンズ、両レンズ面が凸面の正レンズより成り、前記第１レンズ群の焦点距離をｆ１、前記第１レンズ群の広角端の位置と望遠端の位置との距離をｓｔ１、広角端及び望遠端における全系の焦点距離を各々ｆｗ、ｆｔ、前記第３レンズ群の広角端及び望遠端における結像倍率を各々β３Ｗ、β３Ｔとするとき、
０．０５＜ｆ１／（ｓｔ１×ｆｔ／ｆｗ）＜０．２
１．５＜β３Ｔ／β３Ｗ＜３．６
なる条件を満足することを特徴としている。
【発明の効果】
【００１４】
本発明によれば、広画角、高倍率でありながら広角端から望遠端に至る全ズーム範囲にわたり、又無限遠物体から至近物体に至る全物体距離にわたり高い光学性能を有したズームレンズ及びそれを有する撮像装置が得られる。
【発明を実施するための最良の形態】
【００１５】
以下、本発明のズームレンズ及びそれを有する撮像装置の実施例について説明する。
【００１６】
本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際して各レンズ群が移動している。
【００１７】
図１は本発明の実施例１のズームレンズの広角端（短焦点距離）におけるレンズ断面図である。
【００１８】
図２、図３、図４はそれぞれ実施例１のズームレンズの広角端、中間のズーム位置、望遠端（長焦点距離）における収差図である。
【００１９】
図５は本発明の実施例２のズームレンズの広角端におけるレンズ断面図である。図６、図７、図８はそれぞれ実施例２のズームレンズの広角端、中間のズーム位置、望遠端における収差図である。
【００２０】
図９は本発明の実施例３のズームレンズの広角端におけるレンズ断面図である。図１０、図１１、図１２はそれぞれ実施例３のズームレンズの広角端、中間のズーム位置、望遠端における収差図である。
【００２１】
図１３は本発明の実施例４のズームレンズの広角端におけるレンズ断面図である。図１４、図１５、図１６はそれぞれ実施例４のズームレンズの広角端、中間のズーム位置、望遠端における収差図である。
【００２２】
図１７は本発明の実施例５のズームレンズの広角端におけるレンズ断面図である。図１８、図１９、図２０はそれぞれ実施例５のズームレンズの広角端、中間のズーム位置、望遠端における収差図である。
【００２３】
図２１は本発明の実施例６のズームレンズの広角端におけるレンズ断面図である。図２２、図２３、図２４はそれぞれ実施例６のズームレンズの広角端、中間のズーム位置、望遠端における収差図である。
【００２４】
図２５は本発明の実施例７のズームレンズの広角端におけるレンズ断面図である。図２６、図２７、図２８はそれぞれ実施例７のズームレンズの広角端、中間のズーム位置、望遠端における収差図である。
【００２５】
図２９は本発明のズームレンズを備えるカメラ（撮像装置）の要部概略図である。各実施例のズームレンズはビデオカメラやデジタルカメラそして銀塩フィルムカメラ等の撮像装置に用いられる撮影レンズ系である。
【００２６】
レンズ断面図において、左方が物体側（前方）で、右方が像側（後方）である。レンズ断面図において、ｉは物体側からのレンズ群の順番を示し、Ｌｉは第ｉレンズ群である。
【００２７】
レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。
【００２８】
ＳＰは開口絞りであり、第３レンズ群Ｌ３の物体側に配置している。Ｇは光学フィルター、フェースプレート、水晶ローパスフィルター、赤外カットフィルター等に相当する光学ブロックである。
【００２９】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００３０】
収差図において、ｄ、ｇは各々ｄ線及びｇ線である。ΔＭ，ΔＳは各々メリディオナル像面、サジタル像面である。倍率色収差はｇ線によって表している。ωは半画角、ＦｎｏはＦナンバーである。
【００３１】
尚、以下の各実施例において広角端と望遠端は変倍用レンズ群が機構上光軸上を移動可能な範囲の両端に位置したときのズーム位置をいう。
【００３２】
各実施例では、広角端から望遠端へのズーミングに際して矢印のように各レンズ群と開口絞りＳＰを移動させている。
【００３３】
具体的には広角端から望遠端へのズーミングに際し、第１レンズ群Ｌ１は像側へ移動した後に物体側へ移動する。そして広角端から望遠端へのズーミングに際し第１レンズ群Ｌ１は広角端に比べ望遠端において物体側に位置するように移動する。
【００３４】
第２レンズ群Ｌ２は像側に凸状の軌跡を描いて移動する。第３レンズ群Ｌ３は物体側へ移動する。第４レンズ群Ｌ４は物体側に凸状の軌跡を描いて移動する。開口絞りＳＰは各レンズ群と独立に又は第３レンズ群Ｌ３と一体的に物体側へ移動する。
【００３５】
広角端から望遠端へのズーミングに際し、第１レンズ群Ｌ１と第３レンズ群Ｌ３は広角端に比べて望遠端において物体側に位置する様に移動させている。これにより広角端におけるレンズ全長を小型に維持しつつ、大きなズーム比が得られるようにしている。
【００３６】
特に、各実施例では、ズーミングに際して第３レンズ群Ｌ３を物体側に移動させることにより、第３レンズ群Ｌ３と第４レンズ群Ｌ４に変倍分担を持たせている。更に正の屈折力の第１レンズ群Ｌ１を物体側へ移動することで第２レンズ群Ｌ２に大きな変倍効果を持たせている。これにより第１レンズ群Ｌ１と、第２レンズ群Ｌ２の屈折力をあまり大きくすることなく高いズーム比が得られるようにしている。
【００３７】
また、第４レンズ群Ｌ４を光軸上移動させてフォーカシングを行うリアフォーカス式を採用している。
【００３８】
望遠端において無限遠物体から近距離物体へフォーカスを行う場合にはレンズ断面図に示す矢印４ｃのように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う像面変動を補正するための移動軌跡を示している。
【００３９】
このように第４レンズ群Ｌ４を物体側へ凸状の軌跡とすることで第３レンズ群Ｌ３と第４レンズ群Ｌ４との間の空間の有効利用を図り、レンズ全長の短縮化を効果的に達成している。
【００４０】
各実施例では、軽量な第４レンズ群Ｌ４をフォーカスの為に移動することで迅速なフォーカスを容易にし、例えば自動焦点検出を迅速に行えるようにしている。
【００４１】
尚、第１レンズ群Ｌ１はフォーカスの為には光軸方向に不動であるが、収差補正上必要に応じて単独で又は第４レンズ群Ｌ４とともに移動させてもよい。
【００４２】
各実施例においては、第３レンズ群Ｌ３の全部又は一部を光軸と垂直方向の成分を持つように移動させてズームレンズ全体が振動したときの撮影画像の位置を補正している。即ち、像ぶれ（像面位置の変動）を補正するようにしている。
【００４３】
なお、各実施例において、開口絞りＳＰはズーミングに際して各レンズ群と別体で移動している。これによって、広画角領域での入射瞳位置を物体側に配置させて前玉径（第１レンズ群の有効径）が増大しないようにしている。
【００４４】
各実施例において、第１レンズ群Ｌ１の焦点距離をｆ１とする。第１レンズ群Ｌ１の広角端の位置と望遠端の位置との距離をｓｔ１とする。
【００４５】
広角端及び望遠端における全系の焦点距離を各々ｆｗ、ｆｔとする。第３レンズ群Ｌ３の広角端及び望遠端における結像倍率を各々β３Ｗ、β３Ｔとする。
【００４６】
このとき、
【００４７】
【数２】
0005111007.tif 000002
【００４８】
なる条件を満足している。
【００４９】
条件式（１）は、ズーミング時の第１レンズ群Ｌ１の移動量と焦点距離の関係を示したものである。
【００５０】
条件式（１）の下限値を下回ると、第１レンズ群Ｌ１の移動量が増える為、望遠端での光学全長（第１レンズ面から像面までの距離）が長くなってくる。又、第１レンズ群Ｌ１のストローク量を確保する為に鏡筒が長くなる為、沈胴時の沈胴長が長くなり、全系のコンパクト化が難しくなる。
【００５１】
一方、上限値を上回ると、第１レンズ群Ｌ１の移動量が減る為に全系のコンパクト化が容易となる。しかしながら第２レンズ群Ｌ２に変倍作用を持たせるためにパワー（屈折力）が強まり、特にズーミングによる像面湾曲の変動を抑えるのが困難となる。
【００５２】
条件式（２）は、第３レンズ群Ｌ３の変倍作用に関する条件式である。条件式（２）の下限値を下回ると、第３レンズ群Ｌ３の変倍作用が弱まる為、第２レンズ群Ｌ２での変倍作用を強めるために第２レンズ群Ｌ２のパワーを強める必要がある。
【００５３】
そうすると、ズーミングによる像面湾曲の変動を抑えるのが困難となる。
【００５４】
一方、上限値を上回ると、第３レンズ群Ｌ３での変倍作用が強まる為、光学全長が短くなり、又、前玉径も小さくなる。
【００５５】
しかしながら、広角端において球面収差がアンダーとなり、また、長いバックフォーカスを確保するのが困難となる。
【００５６】
尚、各実施例において、収差補正上更に好ましくは、条件式（１）、（２）の数値範囲を次の如く設定するのが良い。
【００５７】
【数３】
0005111007.tif 000003
【００５８】
より更に好ましくは、条件式（１ａ）、（２ａ）を次の如く設定するのが良い。
【００５９】
【数４】
0005111007.tif 000004
【００６０】
各実施例では、以上のようなレンズ構成とすることで高ズーム比でありながらコンパクトで高性能なズームレンズを達成している。
【００６１】
また、各実施例では以下の条件式のうち１以上を満足するのが良い。これによれば各条件式に対応した効果を得ることができる。
【００６２】
第２レンズ群Ｌ２は物体側から像側へ順に３枚の負レンズと１枚の正レンズからなる。第２レンズ群Ｌ２の広角端及び望遠端における横倍率（結像倍率）を各々β２Ｗ、β２Ｔとする。
【００６３】
第２レンズ群Ｌ２の物体側から数えて第２番目の負レンズの焦点距離をｆ２２とする。第２レンズ群Ｌ２の焦点距離をｆ２とする。
【００６４】
このとき、
【００６５】
【数５】
0005111007.tif 000005
【００６６】
なる条件式のうち１以上を満足することである。
【００６７】
条件式（３）は、第２レンズ群Ｌ２の変倍作用に関する条件式である。条件式（３）の下限値を下回ると、第２レンズ群Ｌ２での変倍作用が小さくなった分、第３レンズ群Ｌ３に変倍作用を持たせる為、第３レンズ群Ｌ３のパワーが強まる。この結果、広角端において球面収差、像面湾曲を補正する事が困難となる。
【００６８】
一方、上限値を上回ると、第２レンズ群Ｌ２での変倍作用が強まり、光学全長が短くなるが、ズーミングによる像面湾曲の変動を抑えるのが困難となる。
【００６９】
条件式（４）は、第２レンズ群Ｌ２を構成する３枚の負レンズのうち物体側から数えて第２番目の負レンズのパワー配分に関する条件式である。
【００７０】
条件式（４）の下限値を下回ると、該負レンズのパワーが強まり、望遠端における球面収差がアンダーとなる。一方、上限値を上回ると、該負レンズのパワーが弱まり、広角端において内向性コマを抑える事が困難となる。
【００７１】
尚、各実施例において、更に収差補正を良好に行い及びズーミングの際の収差変動を小さくしつつ高い光学性能を得るには、条件式（３）、（４）の数値範囲を次の如く設定するのが良い。
【００７２】
【数６】
0005111007.tif 000006
【００７３】
更に好ましくは条件式（３ａ）、（４ａ）の数値範囲を次の如く設定するのが良い。
【００７４】
【数７】
0005111007.tif 000007
【００７５】
各実施例では以上のように各レンズ群を構成することによって、レンズ系全体を小型化し、簡易なレンズ構成にもかかわらず、全ズーム範囲、又、物体距離全般にわたり高い光学性能を得ている。
【００７６】
次に各実施例における各レンズ群のレンズ構成の特徴に関して説明する。
【００７７】
第１レンズ群Ｌ１は有効レンズ径が他のレンズ群に比べて大きくなるので、レンズ枚数が少ない方が軽量化のために好ましい。
【００７８】
本実施例においては、第１レンズ群Ｌ１は少なくとも１枚の負レンズと２枚の正レンズを有するようにしている。具体的には第１〜７実施例においては、第１レンズ群Ｌ１は、物体側から順に、１枚の負レンズと２枚の正レンズにより構成されている。しかしながらこの限りでは無く、物体側から順に１枚の負レンズと３枚の正レンズにより構成しても良いし、２枚の負レンズと２枚（或いは３枚）の正レンズにより構成しても良い。また、第１レンズ群Ｌ１内の最も物体側の２枚のレンズは接合レンズとしているが、勿論単レンズで構成しても構わない。
【００７９】
具体的な構成として、第１レンズ群Ｌ１は物体側から像側へ順に、物体側が凸面でメニスカス形状の負レンズと正レンズの各１枚を接合した接合レンズと、単一の正レンズより構成している。これにより、高ズーム比化を図ったときに多く発生する球面収差と色収差を良好に補正している。
【００８０】
第２レンズ群Ｌ２は物体側から像側へ順に、物体側の面が凸でメニスカス形状の負レンズ、物体側の面が凸でメニスカス形状の負レンズ、物体側が凹面の負レンズ、正レンズより構成している。
【００８１】
これによってズーミング時の収差変動を少なくし、特に広角端における歪曲収差や望遠端における球面収差等を良好に補正している。
【００８２】
第３レンズ群Ｌ３は物体側から像側へ順に、物体側が凸面の正レンズ、物体側の面が凸でメニスカス形状の２つの負レンズ、両レンズ面が凸面の正レンズより構成している。
【００８３】
また、第３レンズ群Ｌ３は１以上の面が非球面形状である。これによってズーミングに伴う収差変動を良好に補正している。
【００８４】
各実施例では、第３レンズ群Ｌ３中に接合レンズを用いることで、ズーミングの際の色収差の変動を抑制している。更に第３レンズ群Ｌ３の全部又は一部を光軸から垂直方向の成分を持つように偏芯させて防振動作を行う際の、偏芯による諸収差の発生が少なくなるようにしている。第３レンズ群Ｌ３の具体的なレンズ構成は次のとおりである。
【００８５】
実施例１では、物体側から像側へ順に、物体側が凸面の正レンズと物体側の面が凸でメニスカス形状の負レンズとを接合した接合レンズ、物体側が凸でメニスカス形状の負レンズと正レンズとを接合した接合レンズより成る。
【００８６】
実施例２〜７では、物体側から像側へ順に、物体側が凸面の正レンズ、物体側の面が凸でメニスカス形状の負レンズ、物体側が凸でメニスカス形状の負レンズと正レンズとを接合した接合レンズより成る。
【００８７】
第４レンズ群Ｌ４は物体側の面が凸形状の正レンズと負レンズの接合レンズにより構成している。
【００８８】
次に、本発明の実施例１〜７に各々対応する数値実施例１〜７を示す。各数値実施例においてｉは物体側からの光学面の順序を示し、Ｒｉは第ｉ番目の光学面（第ｉ面）の曲率半径、Ｄｉは第ｉ面と第ｉ＋１面との間の間隔、Ｎｉとνｉはそれぞれｄ線に対する第ｉ番目の光学部材の材料の屈折率、アッベ数を示す。
【００８９】
またｋを離心率、Ｂ、Ｃ、Ｄ、Ｅ、Ｆ、Ｇ、Ｈを非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ｂｈ４＋Ｃｈ６
＋Ｄｈ８＋Ｅｈ１０＋Ｆｈ１2＋Ｇｈ１４＋Ｈｈ１６＋
で表示される。但しＲは曲率半径である。また例えば「Ｅ−Ｚ」の表示は「１０−Ｚ」を意味する。ｆは焦点距離、ＦｎｏはＦナンバー、ωは半画角を示す。
【００９０】
数値実施例において最後の２つの面は、フィルター、フェースプレート等の光学ブロックの面である。
【００９１】
また、各数値実施例における上述した条件式との対応を表１に示す。
【００９２】
数値実施例１
ｆ＝1〜13.79  Ｆｎｏ＝ 2.87 〜5.74  ２ω＝75.7゜ 〜 6.5゜
R 1 =   32.434    D 1 =  0.33      N 1 = 1.806100      ν 1 = 33.3
R 2 =    6.436    D 2 =  1.09      N 2 = 1.496999      ν 2 = 81.5
R 3 =  -54.307    D 3 =  0.03
R 4 =    6.920    D 4 =  0.69      N 3 = 1.815500      ν 3 = 44.4
R 5 =   35.779    D 5 =  可変
R 6 =    7.063    D 6 =  0.19      N 4 = 1.882997      ν 3 = 40.8
R 7 =    2.083    D 7 =  0.44
R 8 =    6.301    D 8 =  0.17      N 5 = 1.806098      ν 4 = 40.9
R 9 =    1.729    D 9 =  0.71
R10 =   -5.324    D10 =  0.14      N 6 = 1.712995      ν 5 = 53.9
R11 =    8.550    D11 =  0.02
R12 =    3.544    D12 =  0.45      N 7 = 1.846660      ν 6 = 23.9
R13 =  -13.641    D13 =  可変
R14 =    絞り     D14 =  可変
R15* =  1.556     D15 =  0.41      N 8 = 1.806100      ν 7 = 40.7
R16 =    2.276    D16 =  0.48      N 9 = 1.846660      ν 8 = 23.9
R17 =    1.821    D17 =  0.08
R18 =    3.432    D18 =  0.18      N10 = 2.003300      ν 9 = 28.3
R19 =    1.063    D19 =  0.39      N11 = 1.693501      ν10 = 53.2
R20 =   -4.790    D20 =  可変
R21 =    4.184    D21 =  0.42      N12 = 1.772499      ν11 = 49.6
R22 =   -5.508    D22 =  0.11      N13 = 1.755199      ν12 = 27.5
R23 =   13.760    D23 =  可変
R24 =    ∞       D24 =  0.14      N14 = 1.516330      ν13 = 64.1
R25 =    ∞ 
ズーム比    13.79
焦点距離        1.00      7.20      13.79
Fナンバー       2.87      4.11      5.74
画角         37.9      10.3      3.3
像高         0.75      0.75      0.75
レンズ全長      16.0      18.0      21.6
BF          1.80      2.83      1.60
D 5           0.17       6.23        7.61
D13           4.14       0.45        0.17
D14           1.58       0.35        0.19
D20           1.08       2.35        4.81
D23           1.37       2.58        1.16
群    始面    焦点距離
1      1        11.98
2      6        -1.96
3      15       3.41
4      21       7.37
非球面係数
R15 ｋ=-9.55612e-02 Ｂ=-1.04850e-02 Ｃ=-1.61836e-03
Ｄ=-1.27707e-03 Ｅ= 4.74964e-04 Ｆ= 0.00000e+00 
Ｇ= 0.00000e+00 Ｈ= 0.00000e+00
実施例2
ｆ＝1〜13.71  Ｆｎｏ＝ 2.89 〜5.57  ２ω＝75.2゜ 〜 6.4゜
R 1 =   13.578    D 1 =  0.33      N 1 = 1.806100      ν 1 = 33.3
R 2 =    5.850    D 2 =  1.02      N 2 = 1.496999      ν 2 = 81.5
R 3 =  162.493    D 3 =  0.03
R 4 =    6.244    D 4 =  0.76      N 3 = 1.696797      ν 3 = 55.5
R 5 =   31.628    D 5 =  可変
R 6 =    9.845    D 6 =  0.18      N 4 = 1.882997      ν 4 = 40.8
R 7 =    1.798    D 7 =  0.45
R 8 =    6.219    D 8 =  0.15      N 5 = 1.882997      ν 5 = 40.8
R 9 =    1.859    D 9 =  0.58
R10 =   -4.443    D10 =  0.14      N 6 = 1.806100      ν 6 = 33.3
R11 =   58.969    D11 =  0.02
R12 =    4.038    D12 =  0.29      N 7 = 1.922860      ν 7 = 18.9
R13 =  -14.018    D13 =  可変
R14 =    絞り     D14 =  可変
R15* =  1.846     D15 =  0.62      N 8 = 1.583126      ν 8 = 59.4
R16 =   64.350    D16 =  0.41
R17 =    7.983    D17 =  0.21      N 9 = 1.581439      ν 9 = 40.8
R18 =    1.994    D18 =  0.05
R19 =    3.003    D19 =  0.14      N10 = 2.003300      ν10 = 28.3
R20 =    1.332    D20 =  0.39      N11 = 1.712995      ν11 = 53.9
R21 =   -7.630    D21 =  可変
R22 =    4.487    D22 =  0.41      N12 = 1.754998      ν12 = 52.3
R23 =   -3.750    D23 =  0.10      N13 = 1.834000      ν13 = 37.2
R24 =   19.645    D24 =  可変
R25 =    ∞       D25 =  0.14      N14 = 1.516330      ν14 = 64.1
R26 =    ∞
ズーム比    13.71
広角      中間        望遠
焦点距離        1.00      8.07      13.71
Fナンバー       2.87      3.88      5.57
画角         37.6      12.4      3.2
像高         0.75      0.75      0.75
レンズ全長      14.8      15.9      19.7
BF          1.87      3.08      1.79
D 5           0.17       5.63        6.56
D13           3.92       0.45        0.26
D14           1.47       0.28        0.19
D21           1.07       1.99        4.61
D24           1.45       3.03        1.37
群      始面    焦点距離
1      1        10.71
2      6        -1.68
3      15       3.32
4      22       9.29
非球面係数
R16 ｋ=-1.12605e-01 Ｂ=-1.29138e-02 Ｃ=1.74008e-03 
Ｄ=-8.76570e-03 Ｅ= 6.98905e-03 Ｆ=0.00000e+00 
Ｇ= 0.00000e+00 Ｈ= 0.00000e+00
実施例3
ｆ＝1〜13.73  Ｆｎｏ＝ 2.87 〜5.50  ２ω＝75.3゜ 〜 6.4゜
R 1 =   13.647    D 1 =  0.33      N 1 = 1.806100      ν 1 = 33.3
R 2 =    5.864    D 2 =  1.02      N 2 = 1.496999      ν 2 = 81.5
R 3 =  170.503    D 3 =  0.03
R 4 =    6.267    D 4 =  0.76      N 3 = 1.696797      ν 3 = 55.5
R 5 =   32.141    D 5 =  可変
R 6 =    9.863    D 6 =  0.18      N 4 = 1.882997      ν 4 = 40.8
R 7 =    1.793    D 7 =  0.46
R 8 =    6.243    D 8 =  0.15      N 5 = 1.882997      ν 5 = 40.8
R 9 =    1.862    D 9 =  0.58
R10 =   -4.514    D10 =  0.14      N 6 = 1.806100      ν 6 = 33.3
R11 =   50.598    D11 =  0.02
R12 =    3.975    D12 =  0.29      N 7 = 1.922860      ν 7 = 18.9
R13 =  -13.670    D13 =  可変
R14 =    絞り     D14 =  可変
R15* =  1.868     D15 =  0.62      N 8 = 1.583126      ν 8 = 59.4
R16 =   32.615    D16 =  0.41
R17 =    5.511    D17 =  0.21      N 9 = 1.582673      ν 9 = 46.4
R18 =    2.135    D18 =  0.04
R19 =    3.024    D19 =  0.14      N10 = 2.003300      ν10 = 28.3
R20 =    1.265    D20 =  0.39      N11 = 1.696797      ν11 = 55.5
R21 =   -9.816    D21 =  可変
R22 =    4.511    D22 =  0.41      N12 = 1.754998      ν12 = 52.3
R23 =   -4.113    D23 =  0.10      N13 = 1.834000      ν13 = 37.2
R24 =   27.588    D24 =  可変
R25 =    ∞       D25 =  0.14      N14 = 1.516330      ν14 = 64.1
R26 =    ∞
ズーム比    13.73
広角      中間      望遠
焦点距離        1.00      7.96      13.73
Fナンバー       2.87      3.84      5.50
画角         37.7      12.6      3.2
像高         0.75      0.75      0.75
レンズ全長      14.8      16.0      19.7
BF          1.89      3.02      1.85
D 5           0.17       5.65        6.60
D13           3.95       0.47        0.26
D14           1.48       0.28        0.19
D21           1.05       2.10        4.57
D24           1.45       2.91        1.40
群    始面    焦点距離
1      1        10.72
2      6        -1.71
3      15       3.37
4      22       8.33
非球面係数
R15 ｋ=-6.27526e-02 Ｂ=-1.31808e-02 Ｃ= 1.82424e-03 
Ｄ=-8.73109e-03 Ｅ= 6.90110e-03 Ｆ= 0.00000e+00 
Ｇ= 0.00000e+00 Ｈ= 0.00000e+00
実施例4
ｆ＝1〜13.72  Ｆｎｏ＝ 2.87 〜5.53  ２ω＝75.3゜ 〜 6.4゜
R 1 =   13.538    D 1 =  0.33      N 1 = 1.806100      ν 1 = 33.3
R 2 =    5.876    D 2 =  1.02      N 2 = 1.496999      ν 2 = 81.5
R 3 =  174.059    D 3 =  0.03
R 4 =    6.224    D 4 =  0.77      N 3 = 1.696797      ν 3 = 55.5
R 5 =   31.540    D 5 =  可変
R 6 =    9.879    D 6 =  0.18      N 4 = 1.882997      ν 4 = 40.8
R 7 =    1.787    D 7 =  0.46
R 8 =    6.216    D 8 =  0.15      N 5 = 1.882997      ν 5 = 40.8
R 9 =    1.861    D 9 =  0.59
R10 =   -4.409    D10 =  0.14      N 6 = 1.806100      ν 6 = 33.3
R11 =   61.564    D11 =  0.02
R12 =    4.113    D12 =  0.37      N 7 = 1.922860      ν 7 = 18.9
R13 =  -13.257    D13 =  可変
R14 =    絞り     D14 =  可変
R15* =  1.837     D15 =  0.62      N 8 = 1.583126      ν 8 = 59.4
R16 =   60.337    D16 =  0.44
R17 =    8.527    D17 =  0.21      N 9 = 1.595509      ν 9 = 39.2
R18 =    1.974    D18 =  0.05
R19 =    3.006    D19 =  0.14      N10 = 2.003300      ν10 = 28.3
R20 =    1.370    D20 =  0.39      N11 = 1.712995      ν11 = 53.9
R21 =   -7.728    D21 =  可変
R22 =    4.418    D22 =  0.41      N12 = 1.754998      ν12 = 52.3
R23 =   -3.797    D23 =  0.10      N13 = 1.834000      ν13 = 37.2
R24 =   22.664    D24 =  可変
R25 =    ∞       D25 =  0.14      N14 = 1.516330      ν14 = 64.1
R26 =    ∞
ズーム比    13.72
広角      中間      望遠
焦点距離        1.00      8.00      13.72
Fナンバー       2.87      3.85      5.53
画角         37.7      12.6      3.2
像高         0.75      0.75      0.75
レンズ全長      14.9      16.0      19.8
BF          1.91      3.08      1.83
D 5           0.17       5.59        6.53
D13           3.84       0.44        0.26
D14           1.52       0.29        0.19
D21           1.04       2.04        4.58
D24           1.50       3.00        1.41
群    始面    焦点距離
1      1        10.61
2      6        -1.68
3      15       3.37
4      22       8.63
非球面係数
R15 ｋ=-5.82469e-02 Ｂ=-1.38910e-02 Ｃ= 7.57297e-04 
Ｄ=-8.91734e-03 Ｅ= 6.88889e-03 Ｆ= 0.00000e+00 
Ｇ= 0.00000e+00 Ｈ= 0.00000e+00
実施例5
ｆ＝1〜17.0  Ｆｎｏ＝ 2.87 〜5.74  ２ω＝75.4゜ 〜 5.1゜
R 1 =   13.891    D 1 =  0.33      N 1 = 1.806100      ν 1 = 33.3
R 2 =    5.854    D 2 =  1.03      N 2 = 1.496999      ν 2 = 81.5
R 3 =  232.443    D 3 =  0.03
R 4 =    6.680    D 4 =  0.76      N 3 = 1.729157      ν 3 = 54.7
R 5 =   49.490    D 5 =  可変
R 6 =   12.500    D 6 =  0.18      N 4 = 1.882997      ν 4 = 40.8
R 7 =    1.810    D 7 =  0.44
R 8 =    5.862    D 8 =  0.15      N 5 = 1.882997      ν 5 = 40.8
R 9 =    1.872    D 9 =  0.59
R10 =   -4.349    D10 =  0.14      N 6 = 1.806100      ν 6 = 33.3
R11 =   51.393    D11 =  0.02
R12 =    4.005    D12 =  0.33      N 7 = 1.922860      ν 7 = 18.9
R13 =  -13.683    D13 =  可変
R14 =    絞り     D14 =  可変
R15* =  1.874     D15 =  0.62      N 8 = 1.583126      ν 8 = 59.4
R16 =  144.162    D16 =  0.52
R17 =    9.133    D17 =  0.21      N 9 = 1.595509      ν 9 = 39.2
R18 =    2.049    D18 =  0.04
R19 =    3.024    D19 =  0.14      N10 = 2.003300      ν10 = 28.3
R20 =    1.319    D20 =  0.39      N11 = 1.712995      ν11 = 53.9
R21 =   -9.408    D21 =  可変
R22 =    3.978    D22 =  0.41      N12 = 1.772499      ν12 = 49.6
R23 =   -4.003    D23 =  0.10      N13 = 1.834000      ν13 = 37.2
R24 =   25.603    D24 =  可変
R25 =    ∞       D25 =  0.14      N14 = 1.516330      ν14 = 64.1
R26 =    ∞
ズーム比    17.0
広角      中間      望遠
焦点距離        1.00      8.40      17.00
Fナンバー       2.87      3.68      5.74
画角         37.7      12.4      2.5
像高         0.75      0.75      0.75
レンズ全長      15.0      16.1      20.4
BF          1.88      3.09      0.98
D 5           0.17       5.66       6.57
D13           3.93       0.42       0.28
D14           1.42       0.23       0.23
D21           1.14       2.16       5.96
D24           1.44       2.93       0.54
群    始面    焦点距離
1      1        10.26
2      6        -1.67
3      15       3.53
4      22       6.72
非球面係数
R15 ｋ=-1.28224e-01 Ｂ=-1.20097e-02 Ｃ= 2.31091e-03 
Ｄ=-8.60297e-03 Ｅ= 5.31285e-03 Ｆ= 0.00000e+00 
Ｇ= 0.00000e+00 Ｈ= 0.00000e+00
実施例6
ｆ＝1〜20.5  Ｆｎｏ＝ 2.87 〜5.74  ２ω＝75.4゜ 〜 4.19゜
R 1 =   13.689    D 1 =  0.33      N 1 = 1.806100      ν 1 = 33.3
R 2 =    5.772    D 2 =  1.02      N 2 = 1.496999      ν 2 = 81.5
R 3 =  286.543    D 3 =  0.03
R 4 =    6.590    D 4 =  0.76      N 3 = 1.691002      ν 3 = 54.8
R 5 =   57.149    D 5 =  可変
R 6 =   12.921    D 6 =  0.18      N 4 = 1.882997      ν 4 = 40.8
R 7 =    1.829    D 7 =  0.44
R 8 =    6.079    D 8 =  0.15      N 5 = 1.834807      ν 5 = 42.7
R 9 =    1.881    D 9 =  0.58
R10 =   -4.380    D10 =  0.14      N 6 = 1.806100      ν 6 = 33.3
R11 =   40.602    D11 =  0.02
R12 =    4.014    D12 =  0.28      N 7 = 1.922860      ν 7 = 18.9
R13 =  -13.918    D13 =  可変
R14 =    絞り     D14 =  可変
R15* =  1.821     D15 =  0.62      N 8 = 1.583126      ν 8 = 59.4
R16 =  -19.233    D16 =  0.55
R17 =   18.158    D17 =  0.21      N 9 = 1.605620      ν 9 = 43.7
R18 =    2.016    D18 =  0.05
R19 =    3.308    D19 =  0.12      N10 = 2.003300      ν10 = 28.3
R20 =    1.299    D20 =  0.39      N11 = 1.712995      ν11 = 53.9
R21 =  -13.296    D21 =  可変
R22 =    3.503    D22 =  0.41      N12 = 1.754998      ν12 = 52.3
R23 =   -4.582    D23 =  0.10      N13 = 1.834000      ν13 = 37.2
R24 =  274.040    D24 =  可変
R25 =    ∞       D25 =  0.14      N14 = 1.516330      ν14 = 64.1
R26 =    ∞
ズーム比    20.5
広角      中間      望遠
焦点距離        1.00      8.46      20.50
Fナンバー       2.87      4.20      5.74
画角         37.7      5.07      2.10
像高         0.75      0.75      0.75
レンズ全長      13.15    15.33     19.58
BF          1.94      3.45      1.23
D 5           0.17       5.83       7.01
D13           3.98       0.49       0.26
D14           1.55       0.24       0.21
D21           1.08       2.38       5.72
D24           1.51       3.01       0.79
群    始面    焦点距離
1      1        10.40
2      6        -1.69
3      15       3.80
4      22       5.09
非球面係数
R15 ｋ=-3.07164e-01 Ｂ=-1.04243e-02 Ｃ= 3.00760e-03
Ｄ=-9.93328e-03 Ｅ= 7.79403e-03 Ｆ= 0.00000e+00
Ｇ= 0.00000e+00 Ｈ= 0.00000e+00
実施例7
ｆ＝1〜19.87  Ｆｎｏ＝ 2.85 〜5.86  ２ω＝72.6゜ 〜 4.24゜
R 1 =   13.616    D 1 =  0.38      N 1 = 1.806100      ν 1 = 33.3
R 2 =    7.075    D 2 =  1.21      N 2 = 1.496999      ν 2 = 81.5
R 3 =  173.509    D 3 =  0.02
R 4 =    6.966    D 4 =  0.80      N 3 = 1.603112      ν 3 = 60.6
R 5 =   27.466    D 5 =  可変
R 6 =   10.765    D 6 =  0.21      N 4 = 1.882997      ν 4 = 40.8
R 7 =    2.023    D 7 =  0.78
R 8 =   12.065    D 8 =  0.16      N 5 = 1.882997      ν 5 = 40.8
R 9 =    3.084    D 9 =  0.75
R10 =   -6.569    D10 =  0.14      N 6 = 1.834000      ν 6 = 37.2
R11 =  185.126    D11 =  0.02
R12 =    5.423    D12 =  0.48      N 7 = 1.922860      ν 7 = 18.9
R13 =  -24.794    D13 =  可変
R14 =    絞り     D14 =  0.27
R15* =  1.994     D15 =  0.63      N 8 = 1.693500      ν 8 = 53.2
R16 =   11.713    D16 =  0.35
R17 =    3.422    D17 =  0.20      N 9 = 1.806100      ν 9 = 33.3
R18 =    1.867    D18 =  0.09
R19 =    3.666    D19 =  0.12      N10 = 2.003300      ν10 = 28.3
R20 =    1.344    D20 =  0.45      N11 = 1.743997      ν11 = 44.8
R21 =  -57.563    D21 =  可変
R22 =    4.406    D22 =  0.53      N12 = 1.743198      ν12 = 49.3
R23 =   -4.213    D23 =  0.10      N13 = 1.688931      ν13 = 31.1
R24 =   14.312    D24 =  可変
R25 =    ∞       D25 =  0.14      N14 = 1.516330      ν14 = 64.1
R26 =    ∞
ズーム比    19.87
広角      中間      望遠
焦点距離        1.00      7.77      19.87
Fナンバー       2.85      3.75      5.86
画角         37.7      5.07      2.10
像高         0.74      0.74      0.74
レンズ全長      19.45    21.11     24.69
BF          1.80      3.37      1.02
D 5           0.15       6.66       7.88
D13           8.24       1.15       0.35
D21           1.56       2.24       7.70
D24           1.07       2.64       0.30
群    始面    焦点距離
1      1        12.94
2      6        -2.12
3      14       4.21
4      22       7.37
R15 ｋ=2.37811e-02 Ｂ=-8.54193e-03 Ｃ=-1.72413e-03 
Ｄ=2.00566e-04 Ｅ=-3.48028e-04 Ｆ= 0.00000e+00
Ｇ=0.00000e+00 Ｈ= 0.00000e+00
【００９３】
【表１】
0005111007.tif 000008
【００９４】
次に各実施例に示したようなズームレンズを撮影光学系として用いたデジタルスチルカメラの実施形態を図２９を用いて説明する。
【００９５】
図２９において、２０はカメラ本体、２１は実施例１〜４で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００９６】
このように本発明のズームレンズをデジタルスチルカメラ等の撮像装置に適用することにより、小型で高い光学性能を有する撮像装置が実現できる。
【図面の簡単な説明】
【００９７】
【図１】本発明の実施例１の広角端におけるレンズ断面図
【図２】本発明の実施例１に対応する数値実施例１の広角端における収差図
【図３】本発明の実施例１に対応する数値実施例１の中間のズーム位置における収差図
【図４】本発明の実施例１に対応する数値実施例１の望遠端における収差図
【図５】本発明の実施例２の広角端におけるレンズ断面図
【図６】本発明の実施例２に対応する数値実施例２の広角端における収差図
【図７】本発明の実施例２に対応する数値実施例２の中間のズーム位置における収差図
【図８】本発明の実施例２に対応する数値実施例２の望遠端における収差図
【図９】本発明の実施例３の広角端におけるレンズ断面図
【図１０】本発明の実施例３に対応する数値実施例３の広角端における収差図
【図１１】本発明の実施例３に対応する数値実施例３の中間のズーム位置における収差図
【図１２】本発明の実施例３に対応する数値実施例３の望遠端における収差図
【図１３】本発明の実施例４の広角端におけるレンズ断面図
【図１４】本発明の実施例４に対応する数値実施例４の広角端における収差図
【図１５】本発明の実施例４に対応する数値実施例４の中間のズーム位置における収差図
【図１６】本発明の実施例４に対応する数値実施例４の望遠端における収差図
【図１７】本発明の実施例５の広角端におけるレンズ断面図
【図１８】本発明の実施例５に対応する数値実施例５の広角端における収差図
【図１９】本発明の実施例５に対応する数値実施例５の中間のズーム位置における収差図
【図２０】本発明の実施例５に対応する数値実施例５の望遠端における収差図
【図２１】本発明の実施例６の広角端におけるレンズ断面図
【図２２】本発明の実施例６に対応する数値実施例６の広角端における収差図
【図２３】本発明の実施例６に対応する数値実施例６の中間のズーム位置における収差図
【図２４】本発明の実施例６に対応する数値実施例６の望遠端における収差図
【図２５】本発明の実施例７の広角端におけるレンズ断面図
【図２６】本発明の実施例７に対応する数値実施例７の広角端における収差図
【図２７】本発明の実施例７に対応する数値実施例７の中間のズーム位置における収差図
【図２８】本発明の実施例７に対応する数値実施例７の望遠端における収差図
【図２９】本発明の撮像装置の概略図
【符号の説明】
【００９８】
Ｌ１  第１レンズ群
Ｌ２  第２レンズ群
Ｌ３  第３レンズ群
Ｌ４  第４レンズ群
ｄ    ｄ線
ｇ    ｇ線
ΔＭ  メリディオナル像面
ΔＳ  サジタル像面
ＳＰ  絞り
Ｇ    ＣＣＤのフェースプレートやローパスフィルター等のガラスブロック
ω    半画角
ｆｎｏ  Ｆナンバー
【図２１】
0005111007.tif 000009
【図１】
0005111007.tif 000010
【図２】
0005111007.tif 000011
【図３】
0005111007.tif 000012
【図４】
0005111007.tif 000013
【図５】
0005111007.tif 000014
【図６】
0005111007.tif 000015
【図７】
0005111007.tif 000016
【図８】
0005111007.tif 000017
【図９】
0005111007.tif 000018
【図１０】
0005111007.tif 000019
【図１１】
0005111007.tif 000020
【図１２】
0005111007.tif 000021
【図１３】
0005111007.tif 000022
【図１４】
0005111007.tif 000023
【図１５】
0005111007.tif 000024
【図１６】
0005111007.tif 000025
【図１７】
0005111007.tif 000026
【図１８】
0005111007.tif 000027
【図１９】
0005111007.tif 000028
【図２０】
0005111007.tif 000029
【図２２】
0005111007.tif 000030
【図２３】
0005111007.tif 000031
【図２４】
0005111007.tif 000032
【図２５】
0005111007.tif 000033
【図２６】
0005111007.tif 000034
【図２７】
0005111007.tif 000035
【図２８】
0005111007.tif 000036
【図２９】
0005111007.tif 000037